(57)【要約】【課題】頸動脈部分を集中的に冷却する構成にすることで、冷却効果を高めると共に、小さい冷媒で長時間の冷却効果を維持する。【解決手段】人の首部Ｎに装着して、その人の頸動脈ＣＡを集中的に冷却する首筋冷却具１であり、人の首部Ｎに沿って配置される、アジャスト機構２を有するＵ字状のアーム３と、アーム３の両先端に、着脱自在に取り付けられた氷のう部４を、備え、氷のう部４が、人の左右側の頸動脈ＣＡ部分にそれぞれ当たるように、アーム３のアジャスト機構２を調節して人の首筋に装着できる構成にした。【選択図】図１
2020186491.tif 000002
【特許請求の範囲】
【請求項１】
人の首部（Ｎ）に装着して、その人の頸動脈（ＣＡ）を集中的に冷却する首筋冷却具（１）であって、
人の首部（Ｎ）に沿って配置される、アジャスト機構（２）を有するＵ字状のアーム（３）と、
前記アーム（３）の両先端に、着脱自在に取り付けられた氷のう部（４）を、備え、
前記氷のう部（４）が、人の左右側の頸動脈（ＣＡ）部分にそれぞれ当たるように、前記アーム（３）のアジャスト機構（２）を調節して人の首筋に装着できる構成にした、ことを特徴とする首筋冷却具。
【請求項２】
前記氷のう部（４）は、
吸湿性を有する素材から成る、氷と水を充填する袋部（６）と、前記アーム（３）の各先端に設けられた係合部（７）と、該係合部（７）に着脱自在に係合する、前記袋部６に設けられた充填口（８）と、から成る、ことを特徴とする請求項１の首筋冷却具。
【請求項３】
前記アーム（３）の各先端に係合部（７）を設け、各係合部（７）に複数の氷のう部（４）を着脱自在に取り付けた、ことを特徴とする請求項２の首筋冷却具。
【請求項４】
前記アーム（３）の各先端に係合部（７）を設け、各係合部（７）にそれぞれ長円形状の氷のう部（４）を着脱自在に取り付けた、ことを特徴とする請求項１の首筋冷却具。
【請求項５】
人の首部（Ｎ）に装着して、その人の頸動脈（ＣＡ）を集中的に冷却する首筋冷却具（２１）であって、
人の首部（Ｎ）に沿って配置される、アジャスト機構（２）を有するＵ字状のアーム（３）と、
前記アーム（３）の両先端に設けられたポケット部（２３）に、交換自在に収納した保冷剤（２２）を、備え、
前記保冷剤（２２）が、人の左右側の頸動脈（ＣＡ）部分にそれぞれ当たるように、前記アーム（３）のアジャスト機構（２）を調節して人の首筋に装着できる構成にした、ことを特徴とする首筋冷却具。
【請求項６】
前記アーム（３）の各先端にポケット部（２３）を角度調節部（９）を介して取り付け、保冷剤（２２）を各ポケット部（２３）と共に可動自在に構成した、ことを特徴とする請求項５の首筋冷却具。
【請求項７】
前記アジャスト機構（２）は、
前記アーム（３）が２本の弓形状のアーム部材（３ａ，３ｂ）から成り、一方のアーム部材（３ａ）にスリーブ部（５）が形成され、該スリーブ部（５）に、他方のアーム部材（３ｂ）を摺動自在に挿入した、ことを特徴とする請求項１又は５の首筋冷却具。
【請求項８】
前記アーム（３）に、吸湿性を有する素材から成る、筒形状のカバー（３２）を取り付けた、ことを特徴とする請求項１又は５の首筋冷却具。
【請求項９】
前記係合部（７）に、吸湿性を有する素材から成る、袋状のカバー（３３）を取り付けた、ことを特徴とする請求項１の首筋冷却具。
【発明の詳細な説明】
【技術分野】
【０００１】
本発明は、人の身体を冷却する技術に係り、特に夏季の屋外で作業する人又は高温になった場所で作業する人が、主に熱中症にならないようにその人の首部を冷却する首筋冷却具に関する。
【背景技術】
【０００２】
熱中症は、暑さによって人の体内の水分、塩分のバランスが崩れることで、体温の調節機能が低下することにより生じる人体の高温障害の症状である。人体には体温を一定の温度に維持しようとする機能が備わっている。人は外気の暑さによって体温が上がると、自律神経の働きで汗をかいて体温を下げるようになっている。しかし、酷暑や長時間暑い環境に居ると、人は自律神経の働きが低下して汗が出にくくなり、体内に熱が溜まることがある。このような状況が続くと、熱中症等の種々の症状を引き起こすことになる。
【０００３】
熱中症の対処又は熱中症になった際に、人の脇の下、首、足の付け根を冷却すると体温を下げることができる。これらの場所は太い血管が近くに通っているので、体温を効果的に下げることができる。
【０００４】
人の体温を下げる冷却具に関する技術が種々提案されている。例えば特許文献１の特開２０１２−３６５３３号公報「首筋冷却具」のように、頭頂部を覆うように頭部に装着される頭部装着部と、該頭部装着部に垂設され、後頭部下の首筋に垂れ下がる垂下部と、該垂下部に設けられ、保冷剤を収容するポケットと、を備える首筋冷却具が提案されている。
【先行技術文献】
【特許文献】
【０００５】
【特許文献１】特開２０１２−３６５３３号公報
【発明の概要】
【発明が解決しようとする課題】
【０００６】
人の頸動脈は、図４に説明するように、顔面、脳などの頭部へ血液を導く動脈であり、総頸動脈と、その枝である内頸動脈、外頸動脈がある。総頸動脈は右では腕頭動脈から、左では大動脈弓から直接出て、気管及び喉頭の側壁に沿って上行し、甲状軟骨上縁の高さで内頸動脈と外頸動脈に分かれる。内頸動脈は主として脳、眼窩、前頭部に分布し、外頸動脈は主として顔面、前首部、前蓋壁に分布する。内、外の頸動脈の分岐部付近には頸動脈体という化学受容器がある。この頸動脈部分を冷却すると、頭部への血液を冷却することができ、脳をクールダウンさせて自律神経の正常な働きにより体温を適切に下げることができる。
【０００７】
特許文献１の首筋冷却具は、人の首を冷却して熱中症の対処又は熱中症になった際に体温を下げるものであるが、この構成が頭部全体を覆う部材から成り、首の後部を広い範囲に冷却する構造である。特許文献１のように首の後側を広範囲に冷却する構成は、人の首の表面を冷却し清涼感を与える効果はあるが、体温を下げることができないという問題を有していた。このように首の後ろ側が冷たくなることで、気温が低いと脳が誤認するリスクがあり、発汗を抑える反応となる可能性もあり、却って逆効果になるおそれがある。
【０００８】
本発明の発明者は、人の体温を下げる場所としての脇の下、脚の付け根部は、冷却材を配置しづらい位置であるが、首筋部分は作業者の作業に邪魔にならない部分であることに着目した。しかも、この頸動脈は頭部へ血液を導く動脈である。この血液を冷却することは、脳の温度を下げて、自律神経の正常な働きを促すことができる。そこで、発明者は、頸動脈を冷却することは熱中症の対処に一番効率的であると考えた。
【０００９】
本発明は、かかる問題点を解決するために創案されたものである。すなわち、本発明の目的は、頸動脈部分を集中的に冷却する構成にすることで、冷却効果を高めると共に、小さい冷媒で長時間の冷却効果を維持できる首筋冷却具を提供することにある。
【課題を解決するための手段】
【００１０】
本発明は、人の首部（Ｎ）に装着して、その人の頸動脈（ＣＡ）を集中的に冷却する首筋冷却具（１）であって、
人の首部（Ｎ）に沿って配置される、アジャスト機構（２）を有するＵ字状のアーム（３）と、
前記アーム（３）の両先端に、着脱自在に取り付けられた氷のう部（４）を、備え、
前記氷のう部（４）が、人の左右側の頸動脈（ＣＡ）部分にそれぞれ当たるように、前記アーム（３）のアジャスト機構（２）を調節して人の首筋に装着できる構成にした、ことを特徴とする。
【００１１】
前記氷のう部（４）は、
吸湿性を有する素材から成る、氷と水を充填する袋部（６）と、前記アーム（３）の各先端に設けられた係合部（７）と、該係合部（７）に着脱自在に係合する、前記袋部６に設けられた充填口（８）と、から成るものである。
前記アーム（３）の各先端に係合部（７）を設け、各係合部（７）に複数の氷のう部（４）を着脱自在に取り付けることができる。
前記アーム（３）の各先端に係合部（７）を設け、各係合部（７）にそれぞれ長円形状の氷のう部（４）を着脱自在に取り付けることができる。
【００１２】
また、本発明は、人の首部（Ｎ）に装着して、その人の頸動脈（ＣＡ）を集中的に冷却する首筋冷却具（２１）であって、
人の首部（Ｎ）に沿って配置される、アジャスト機構（２）を有するＵ字状のアーム（３）と、
前記アーム（３）の両先端に設けられたポケット部（２３）に、交換自在に収納した保冷剤（２２）を、備え、
前記保冷剤（２２）が、人の左右側の頸動脈（ＣＡ）部分にそれぞれ当たるように、前記アーム（３）のアジャスト機構（２）を調節して人の首筋に装着できる構成にした、ことを特徴とする。
前記アーム（３）の各先端にポケット部（２３）を角度調節部（９）を介して取り付け、保冷剤（２２）を各ポケット部（２３）と共に可動自在に構成することができる。
【００１３】
前記アジャスト機構（２）は、
前記アーム（３）が２本の弓形状のアーム部材（３ａ，３ｂ）から成り、一方のアーム部材（３ａ）にスリーブ部（５）が形成され、該スリーブ部（５）に、他方のアーム部材（３ｂ）を摺動自在に挿入したものである。
前記アーム（３）に、吸湿性を有する素材から成る、筒形状のカバー（３２）を取り付けることができる。
前記係合部（７）に、吸湿性を有する素材から成る、袋状のカバー（３３）を取り付けることができる。
【発明の効果】
【００１４】
本発明の構成では、２個の氷のう部（４）はアーム（３）の両アーム部材（３ａ，３ｂ）に取り付けられた構造であるため、アジャスト機構（２）を調節することで、それぞれの氷のう部（４）を両側の頸動脈の位置に容易に当てることができる。この首筋冷却具（１）は頸動脈の血液を集中的に冷却することができる。頸動脈の内頸動脈は、心臓からの血液を主として脳、眼窩、前頭部に送る動脈であるため、ここを通る血液を冷却することで、脳、眼窩、前頭部を効率良く冷却することができる。頸動脈の外頸動脈は主として顔面、前首部、前蓋壁に送る動脈であるため、ここを通る血液を冷却することで、顔面、前首部、前蓋壁を効率良く冷却することができる。このように頸動脈を冷やすことで、脳の温度を下げ、自律神経の正常な働きを促すことができる。
本発明の首筋冷却具は、このように自律神経の正常な働きを促して、熱中症の防止になる。熱中症対策だけでなく、車の運転中の居眠り防止や勉強中の居眠り防止なども期待できる。
【００１５】
本発明の氷のう部（４）は、アーム（３）の両先端に着脱自在に取り付けられた構造であるために、この氷のう部（４）内の氷が溶けて冷却効果が低下したときに、新たな氷と水に容易に交換することができる。しかも、この氷のう部（４）は頸動脈のみを部分的に冷却する構成であるため、冷媒を無駄にすることがない。
【００１６】
また、人が作業中に頭が下向きになったときに、このアーム（３）のアーム部材（３ａ，３ｂ）が首部（Ｎ）の後側に当たり、首筋冷却具（１）の落下を防止できる。逆に、熱中症で倒れた人には、その仰向けの人の首に喉側から首筋冷却具（１）を装着し、このアーム部材（３ａ，３ｂ）が喉に当たり、その首に容易に装着することができる。
【００１７】
アーム（３）と係合部（７）に取り付けられた、吸湿性を有する素材から成る、筒形状のカバー（３２）は、これを濡らすことで、水分が蒸発する際の気化熱の作用によって、装着している人の首筋後方と首を更に冷却することも可能である。
【図面の簡単な説明】
【００１８】
【図１】実施例１の首筋冷却具を示す平面図である。
【図２】実施例１の首筋冷却具のアームを広げた状態を示す平面図である。
【図３】実施例１の首筋冷却具から外した氷のう部に氷と水を入れて取り付ける状態を示す説明図である。
【図４】実施例１の首筋冷却具を人の首部に装着した状態を示す正面図である。
【図５】実施例１の首筋冷却具を人の首部に装着した状態を示す平面図である。
【図６】氷のう部を計４個設けた実施例１の変形例１を示す平面図である。
【図７】氷のう部を計４個設けた変形例２の動作状態を示す部分拡大側面図である。
【図８】長円形状の氷のう部を設けた実施例１の変形例２を示す平面図である。
【図９】長円形状の氷のう部を設けた実施例１の変形例２の動作状態を示す部分拡大側面図である。
【図１０】氷のう部の代わりに保冷剤で冷却する実施例２の首筋冷却具を示す平面図である。
【図１１】ポケット部に保冷剤を収納する状態を示す部分拡大側面図である。
【図１２】長方形状の保冷剤を可動自在に設けた実施例２の変形例を示す拡大側面図であり、（ａ）は保冷剤を横長にした状態、（ｂ）は保冷剤を縦長にした状態である。
【図１３】実施例３のカバーをアームと係合部に取り付けた首筋冷却具を示す平面図である。
【発明を実施するための形態】
【００１９】
本発明の首筋冷却具は、２個の氷のう部が、人の左右側の頸動脈部にそれぞれ当たるように、アームのアジャスト機構を調節して人の首部に装着し、その人の頸動脈部を集中的に冷却できるものである。
【実施例１】
【００２０】
＜首筋冷却具の構成＞
以下、本発明の実施の形態を図面を参照して説明する。
図１は実施例１の首筋冷却具を示す平面図である。図２は実施例１の首筋冷却具のアームを広げた状態を示す平面図である。
実施例１の首筋冷却具１は、人の首部Ｎに沿って配置される、アジャスト機構２を有するＵ字状のアーム３と、このアーム３の両先端に氷のう部４がそれぞれ取り付けられたものである。
【００２１】
アーム３は２個の氷のう部４をその両端に着脱自在に取り付けた部材である。このアーム３は、この首筋冷却具１を首部Ｎに装着できる大きさを有する。また、アーム３は、首部Ｎに装着する際に容易に広げることができるように、弾性を有するプラスチック製又は金属製の部材で構成されたものである。但し、２個の氷のう部４を首部Ｎに固定できれば良いので、軽量な部材が好ましい。アーム３を広げないときは、図１に示すように、通常は２個の氷のう部４が接近するように狭められた状態になっている。アーム３を広げると、図２に示すように、２個の氷のう部４を首部Ｎに固定できる。
【００２２】
アーム３は２本の弓形状のアーム部材３ａ，３ｂから成り、一方のアーム部材３ａにスリーブ部５が形成され、このスリーブ部５に他方のアーム部材３ｂを摺動自在に挿入したアジャスト機構２を有する。図１に示すように、一方のアーム部材３ａが、他方のアーム部材３ｂより長い構成になっている。この構成に限定されず、両者同じ長さでもよい。また、アジャスト機構２は２本の弓形状のアーム部材３ａ，３ｂの長さを適宜調節することができる構成であれば、図示例の構成に限定されない。
【００２３】
このアジャスト機構２は、本発明の首筋冷却具１を装着する人の首部Ｎの太さに合わせることを主な目的とする。更に、本発明の首筋冷却具１では、２個の氷のう部４をこのアジャスト機構２を調節することで、それぞれの氷のう部４を両側の頸動脈ＣＡの位置に正確に当てる機能を有する。図２に示すように、アーム３の両先端を広げると共に、図示の右側の氷のう部４はアジャスト機構２の調節により位置を可変できる。
【００２４】
各氷のう部４は、氷と水を充填する袋部６である。この袋部６には、アーム３の各先端に設けられた係合部７と、この係合部７に着脱自在に係合する充填口８を有する。本発明の氷のう部４は、図３に示すように、螺合するようになっている。この螺合構成は一例であって、この形式に限定されない。
【００２５】
この氷のう部４は、吸湿性を有する素材から成る。この氷のう部４の外表面を濡らして気化熱作用を利用し、又は首部Ｎへの吸着力を高める効果を維持するためである。例えば、袋部６の内側は水密性を有する素材から成り、この外側には布などの吸湿性を有する素材を被覆した構造にすることができる。この吸湿性を有する素材の氷のう部４は首部Ｎに装着した際に、落下を防止する機能と共に、これを濡らすことで、この水分が蒸発する際の気化熱作用によって装着している人の後方首筋又は肩などを冷却することも可能である。
【００２６】
本発明の氷のう部４は、アーム３の両先端に着脱自在に取り付けられた構造であるために、この氷のう部４内の氷が溶けて冷却効果が低下したときに、新たな氷と容易に交換することができる。しかも、この氷のう部４は頸動脈のみを冷却する構成であるため、最小限の冷媒で済む。
【００２７】
＜首筋冷却具の使用方法＞
図３は実施例１の首筋冷却具から外した氷のう部に氷と水を入れて取り付ける状態を示す説明図である。図４は実施例１の首筋冷却具を人の首部に装着した状態を示す正面図である。図５は実施例１の首筋冷却具を人の首部に装着した状態を示す平面図である。
本発明の首筋冷却具１を使用するときは、図３に示すように、先ず、アーム３の各先端に設けられた係合部７から氷のう部４を外す。この氷のう部４の充填口８から氷と水を袋部６内に入れる。または氷のみを入れる。この袋部６が球形状になるまで満タンに入れない。図示するように、袋部６が変形しやすく、首部Ｎに当てた際に潰れて首に広範囲に当たるようするためである。このように両方の氷のう部４に氷と水を入れる。但し、冷却効果を高めるために、袋部６内部に空気は入れないようにする。
【００２８】
次に、この首筋冷却具１は、アーム３のアジャスト機構２を調節して、それぞれの氷のう部４を両側の頸動脈の位置に容易に当てて装着する。これにより頸動脈の血液を集中的に冷却することができる。上述したように頸動脈の内頸動脈は血液を主として脳、眼窩、前頭部に送る動脈であるため、ここを通る血液を冷却することで、脳、眼窩、前頭部を効率良く冷却することができる。頸動脈の外頸動脈は主として顔面、前首部、前蓋壁に送る動脈であるため、ここを通る血液を冷却することで、顔面、前首部、前蓋壁を効率良く冷却することができる。
【００２９】
更に、この氷のう部４内の氷が溶けて冷却効果が低下したときに、氷のう部４をアーム３から外して、新たな氷と容易に交換できる。しかも、この氷のう部４は頸動脈のみを冷却する構成であるため、少ない氷と水で冷却することができる。
【００３０】
本発明の首筋冷却具１には、人が作業中に頭が下向きになったときに、アーム３（アーム部材３ａ，３ｂ）が首部Ｎの後側に当たり、首筋冷却具１の落下を防止できる。または、ヘルメットのベルトに接続して落下を防止するように使用することも可能である。
【００３１】
なお、熱中症などで倒れた人には、仰向きの状態では、本発明の首筋冷却具１をアーム３（アーム部材３ａ，３ｂ）を上方に向け、両氷のう部４を下方に向けてその人の首部Ｎに挟むように装着する。その後、両氷のう部４が頸動脈の適切な位置に接しているかを見ながらアジャスト機構２を調節する。
【００３２】
＜氷のう部を計４個設けた実施例１の変形例１の構成＞
図６は氷のう部を計４個設けた実施例１の変形例１を示す平面図である。図７は氷のう部を計４個設けた変形例２の動作状態を示す部分拡大側面図である。
本発明の首筋冷却具１には、アーム３の両端に氷のう部４を２個取り付けた構成に限定されない。首部Ｎ即ち頸動脈ＣＡ部分を冷却することができる構成であれば、各先端に２個又はそれ以上の氷のう部４を取り付けても良い。例えばアーム３の先端に、長方形状の係合部７を、角度調節部９を介して取り付ける。この長方形状の係合部７には、２カ所の接合部１０があり、この２カ所の接合部１０に氷のう部４を着脱自在にそれぞれ取り付けた。
【００３３】
変形例１の首筋冷却具１を使用する際には、図７に示すように、角度調節部９を調節して、２個の氷のう部４を頸動脈ＣＡの首周りに沿って並列するように首部Ｎに装着する。または角度調節部９を調節して、２個の氷のう部４を頸動脈ＣＡの上下方向に沿って首部Ｎに装着する。
【００３４】
＜長円形状の氷のう部を設けた実施例１の変形例２の構成＞
図８は長円形状の氷のう部を設けた実施例１の変形例２を示す平面図である。図９は長円形状の氷のう部を設けた実施例１の変形例２の動作状態を示す部分拡大側面図である。
変形例２の首筋冷却具１は、片方のアーム３の先端に複数の氷のう部４を取り付ける代わりに、長円形状の氷のう部４を取り付けたものである。この変形例２の首筋冷却具１はアーム３の先端に、係合部７が角度調節部９を介して取り付けられている。この係合部７に長円形状の氷のう部を着脱自在にそれぞれ取り付けた。
【００３５】
この変形例２の首筋冷却具１を使用する際には、角度調節部９を調節して、長円形状の氷のう部４の長手方向が頸動脈ＣＡ近くの首周りに沿うように首部Ｎに装着する。または角度調節部９を調節して、長円形状の氷のう部４の長手方向が頸動脈ＣＡの上下方向に沿うように首部Ｎに装着する。
【実施例２】
【００３６】
＜保冷剤から成る首筋冷却具の構成＞
図１０は氷のう部の代わりに保冷剤で冷却する実施例２の首筋冷却具を示す平面図である。図１１はポケット部に保冷剤を収納する状態を示す部分拡大側面図である。
実施例２の首筋冷却具２１は、首筋（頸動脈）の冷却に、上述した氷のう部４に代えて保冷剤２２を用いたものである。この実施例２の首筋冷却具２１は、実施例１の首筋冷却具１と略同じ構成であり、実施例２の首筋冷却具２１は、人の首部Ｎに沿って配置される、アジャスト機構２を有するＵ字状のアーム３と、このアーム３の両先端に保冷剤２２がそれぞれ取り付けられたものである。
【００３７】
保冷剤２２は、アーム３の両先端に設けられたポケット部２３に、交換自在に収納できるようになっている。ポケット部２３は、文字通り上方に開口を有し、この開口から保冷剤２２を出し入れする。ポケット部２３は、熱伝導性が良いものが好ましく、更にある程度の厚みを有するものが好ましい。固化しているときの堅い状態の保冷剤２２が首部Ｎに直接あたらないようにするためである。
【００３８】
実施例２の首筋冷却具２１を使用するときは、実施例１と同様に、アーム３の各先端に設けられたポケット部２３に冷却した保冷剤２２を収納する。この首筋冷却具２１は、アーム３のアジャスト機構２を調節して、それぞれの保冷剤２２を両側の頸動脈ＣＡの位置に容易に当てて装着する。保冷剤２２の冷却能力が低下したら別の保冷剤２２と交換する。
【００３９】
＜長方形状の保冷剤を設けた実施例２の変形例の構成＞
図１２は長方形状の保冷剤を可動自在に設けた実施例２の変形例を示す拡大側面図であり、（ａ）は保冷剤を横長にした状態、（ｂ）は保冷剤を縦長にした状態である。
実施例２の変形例の首筋冷却具２１は、片方のアーム３の先端に、長方形状の保冷剤２２を可動自在に取り付けたものである。この変形例の首筋冷却具２１はアーム３の先端に、ポケット部２３を、角度調節部９を介して取り付けた。このポケット部２３に長方形状の保冷剤２２を交換自在に収納した。
【００４０】
この変形例２の首筋冷却具２１を使用する際には、図１２（ａ）に示すように、角度調節部９を調節して、長方形状の保冷剤２２の長手方向が頸動脈ＣＡの首周りに沿うように首部Ｎに装着する。または図１２（ｂ）に示すように、角度調節部９を調節して、長方形状の保冷剤２２の長手方向が頸動脈ＣＡの上下方向に沿うように首部Ｎに装着する。
【実施例３】
【００４１】
＜首筋冷却具のカバー＞
図１３は実施例３のカバーをアームと係合部に取り付けた首筋冷却具を示す平面図である。
実施例３の首筋冷却具３１は、アーム３（アーム部材３ａ，３ｂ）に、吸湿性を有する素材から成る、筒形状のカバー３２を取り付けたものである。実施例３の首筋冷却具３１では、アーム３に取り付けられた、吸湿性を有する素材から成る、筒形状のカバー３２は、これを濡らすことで、この水分が蒸発する際の気化熱作用によって、装着している人の後方首筋又は肩などを冷却することも可能になる。
【００４２】
気化熱作用を利用できるカバー３２は、アーム３（アーム部材３ａ，３ｂ）に限定されない。両氷のう部４を維持する係合部７にも取り付けることができる。この係合部７に湿性を有する素材から成る袋状のカバー３３を取り付けることで気化熱作用を利用して氷のう部４が太陽光で熱せられることを防止でき、両氷のう部４の冷却効果を長く維持することができる。
カバーは、氷のう部４から成る首筋冷却具１に限定されず、保冷剤から成る首筋冷却具２１に取り付けることも勿論可能である。
【００４３】
なお、本発明は、頸動脈部分を集中的に冷却する構成にすることで、冷却効果を高めると共に、小さい冷媒で長時間の冷却効果を維持できる構成であれば、上述した発明の実施の形態に限定されず、本発明の要旨を逸脱しない範囲で種々変更できることは勿論である。
【産業上の利用可能性】
【００４４】
本発明の首筋冷却具は、夏季の工事作業現場、建設現場で作業する人、ガラス工場のような高温になる場所で作業する人、酷暑の屋外にいる人などが利用することができる。更に、熱中症対策だけでなく、車の運転中の居眠り防止や勉強中の居眠り防止などにも利用することができる。
【符号の説明】
【００４５】
１，２１，３１  首筋冷却具
２  アジャスト機構
３  アーム
３ａ，３ｂ  アーム部材
４  氷のう部
５  スリーブ部
６  袋部
７  係合部
８  充填口
９  角度調節部
２２  保冷剤
２３  ポケット部
３２  カバー（アーム用）
３３  カバー（係合部用）
ＣＡ  頸動脈
Ｎ  首部
【図１】
2020186491.tif 000003
【図２】
2020186491.tif 000004
【図３】
2020186491.tif 000005
【図４】
2020186491.tif 000006
【図５】
2020186491.tif 000007
【図６】
2020186491.tif 000008
【図７】
2020186491.tif 000009
【図８】
2020186491.tif 000010
【図９】
2020186491.tif 000011
【図１０】
2020186491.tif 000012
【図１１】
2020186491.tif 000013
【図１２】
2020186491.tif 000014
【図１３】
2020186491.tif 000015
【手続補正書】
【提出日】令和1年9月27日(2019.9.27)
【手続補正１】
【補正対象書類名】明細書
【補正対象項目名】００１０
【補正方法】変更
【補正の内容】
【００１０】
本発明は、人の首部（Ｎ）に装着して、その人の頸動脈（ＣＡ）を集中的に冷却する首筋冷却具（１）であって、
人の首部（Ｎ）に沿ってＵ字状に配置される、２本の弓形状のアーム部材（３ａ，３ｂ）から成るアーム（３）と、
一方のアーム部材（３ａ）に、他方のアーム部材（３ｂ）を摺動自在に取り付けて成る前記アーム（３）全体の長さを適宜調節するアジャスト機構（２）と、
前記アーム（３）の両先端に着脱自在に取り付けられた、吸湿性を有する素材から成り、氷と水を充填する袋部（６）と、該アーム（３）の各先端に設けられた係合部（７）に着脱自在に係合する充填口（８）と、から成る氷のう部（４）と、を備え、
各氷のう部（４）が、人の左右側の頸動脈（ＣＡ）部分にそれぞれ当たるように、前記アーム（３）のアジャスト機構（２）を調節して人の首筋に装着できる構成にした、ことを特徴とする。
【手続補正２】
【補正対象書類名】明細書
【補正対象項目名】００１１
【補正方法】変更
【補正の内容】
【００１１】
前記係合部（７）各々に複数の氷のう部（４）を着脱自在に取り付けることができる。
前記係合部（７）各々に長円形状の氷のう部（４）を着脱自在に取り付けることができる。
前記アーム（３）の先端と、該アーム（３）に取り付けられている側の前記係合部（７）に、吸湿性を有する素材から成る袋状のカバー（３３）を取り付けることができる。
【手続補正３】
【補正対象書類名】明細書
【補正対象項目名】００１２
【補正方法】変更
【補正の内容】
【００１２】
また、本発明は、人の首部（Ｎ）に装着して、その人の頸動脈（ＣＡ）を集中的に冷却する首筋冷却具（２１）であって、
人の首部（Ｎ）に沿ってＵ字状に配置される、２本の弓形状のアーム部材（３ａ，３ｂ）から成るアーム（３）と、
一方のアーム部材（３ａ）に、他方のアーム部材（３ｂ）を摺動自在に取り付けて成る前記アーム（３）全体の長さを適宜調節するアジャスト機構（２）と、
前記アーム（３）の両先端に設けられたポケット部（２３）に、交換自在に収納した保冷剤（２２）と、
前記アーム（３）の先端と前記ポケット部（２３）との間に取り付けた、該ポケット部（２３）を保冷剤（２２）と共に可動自在にする角度調節部（９）と、を備え、
前記保冷剤（２２）が、人の左右側の頸動脈（ＣＡ）部分にそれぞれ当たるように、前記アジャスト機構（２）と前記角度調節部（９）を調節して人の首筋に装着できる構成にした、ことを特徴とする。
【手続補正４】
【補正対象書類名】明細書
【補正対象項目名】００１３
【補正方法】変更
【補正の内容】
【００１３】
前記アジャスト機構（２）は、
一方のアーム部材（３ａ）にスリーブ部（５）が形成され、該スリーブ部（５）に、他方のアーム部材（３ｂ）を摺動自在に挿入したものである。
前記アーム（３）に、吸湿性を有する素材から成る、筒形状のカバー（３２）を取り付けることができる。
【手続補正５】
【補正対象書類名】明細書
【補正対象項目名】００１４
【補正方法】変更
【補正の内容】
【００１４】
本発明の構成では、２個の氷のう部（４）はアーム（３）を構成する両アーム部材（３ａ，３ｂ）に取り付けられた構造であるため、アジャスト機構（２）でアーム部材（３ａ，３ｂ）の間隔を調節することで、それぞれの氷のう部（４）を両側の頸動脈の位置に容易に当てることができる。この首筋冷却具（１）は頸動脈の血液を集中的に冷却することができる。頸動脈の内頸動脈は、心臓からの血液を主として脳、眼窩、前頭部に送る動脈であるため、ここを通る血液を冷却することで、脳、眼窩、前頭部を効率良く冷却することができる。頸動脈の外頸動脈は主として顔面、前首部、前蓋壁に送る動脈であるため、ここを通る血液を冷却することで、顔面、前首部、前蓋壁を効率良く冷却することができる。このように頸動脈を冷やすことで、脳の温度を下げ、自律神経の正常な働きを促すことができる。
本発明の首筋冷却具は、このように自律神経の正常な働きを促して、熱中症の防止になる。熱中症対策だけでなく、車の運転中の居眠り防止や勉強中の居眠り防止なども期待できる。
【手続補正６】
【補正対象書類名】明細書
【補正対象項目名】００１６
【補正方法】変更
【補正の内容】
【００１６】
また、人が作業中に頭が下向きになったときに、このアーム（３）を構成するアーム部材（３ａ，３ｂ）が首部（Ｎ）の後側に当たり、首筋冷却具（１）の落下を防止できる。逆に、熱中症で倒れた人には、その仰向けの人の首に喉側から首筋冷却具（１）を装着し、このアーム部材（３ａ，３ｂ）が喉に当たり、その首に容易に装着することができる。
【手続補正７】
【補正対象書類名】特許請求の範囲
【補正対象項目名】全文
【補正方法】変更
【補正の内容】
【特許請求の範囲】
【請求項１】
人の首部（Ｎ）に装着して、その人の頸動脈（ＣＡ）を集中的に冷却する首筋冷却具（１）であって、
人の首部（Ｎ）に沿ってＵ字状に配置される、２本の弓形状のアーム部材（３ａ，３ｂ）から成るアーム（３）と、
一方のアーム部材（３ａ）に、他方のアーム部材（３ｂ）を摺動自在に取り付けて成る前記アーム（３）全体の長さを適宜調節するアジャスト機構（２）と、
前記アーム（３）の両先端に着脱自在に取り付けられた、吸湿性を有する素材から成り、氷と水を充填する袋部（６）と、該アーム（３）の各先端に設けられた係合部（７）に着脱自在に係合する充填口（８）と、から成る氷のう部（４）と、を備え、
各氷のう部（４）が、人の左右側の頸動脈（ＣＡ）部分にそれぞれ当たるように、前記アーム（３）のアジャスト機構（２）を調節して人の首筋に装着できる構成にした、ことを特徴とする首筋冷却具。
【請求項２】
前記係合部（７）各々に複数の氷のう部（４）を着脱自在に取り付けた、ことを特徴とする請求項１に記載の首筋冷却具。
【請求項３】
前記係合部（７）各々に長円形状の氷のう部（４）を着脱自在に取り付けた、ことを特徴とする請求項１に記載の首筋冷却具。
【請求項４】
前記アーム（３）の先端と、該アーム（３）に取り付けられている側の前記係合部（７）に、吸湿性を有する素材から成る袋状のカバー（３３）を取り付けた、ことを特徴とする請求項１に記載の首筋冷却具。
【請求項５】
人の首部（Ｎ）に装着して、その人の頸動脈（ＣＡ）を集中的に冷却する首筋冷却具（２１）であって、
人の首部（Ｎ）に沿ってＵ字状に配置される、２本の弓形状のアーム部材（３ａ，３ｂ）から成るアーム（３）と、
一方のアーム部材（３ａ）に、他方のアーム部材（３ｂ）を摺動自在に取り付けて成る前記アーム（３）全体の長さを適宜調節するアジャスト機構（２）と、
前記アーム（３）の両先端に設けられたポケット部（２３）に、交換自在に収納した保冷剤（２２）と、
前記アーム（３）の先端と前記ポケット部（２３）との間に取り付けた、該ポケット部（２３）を保冷剤（２２）と共に可動自在にする角度調節部（９）と、を備え、
前記保冷剤（２２）が、人の左右側の頸動脈（ＣＡ）部分にそれぞれ当たるように、前記アジャスト機構（２）と前記角度調節部（９）を調節して人の首筋に装着できる構成にした、ことを特徴とする首筋冷却具。
【請求項６】
前記アジャスト機構（２）は、
一方のアーム部材（３ａ）にスリーブ部（５）が形成され、該スリーブ部（５）に、他方のアーム部材（３ｂ）を摺動自在に挿入したものである、ことを特徴とする請求項１又は５に記載の首筋冷却具。
【請求項７】
前記アーム（３）に、吸湿性を有する素材から成る、筒形状のカバー（３２）を取り付けた、ことを特徴とする請求項１又は５に記載の首筋冷却具。